(57)【要約】【課題】  金属板やプラスチック板の表面に絵柄等を数値制御工作機械を用いて加工し、飾り物を作ることは可能である。特に、金属板やプラスチック板を素材として用いた場合には、量産に適している。量産品の飾り物はあまり好まれず、やはり、手作りの一品物が望まれる。そこで、本発明は、上記の課題を解決し、数値制御工作機械を用いて、一品物の特殊な飾り物及びその製造方法を提供することを目的とする。【解決手段】  中身を除去した卵の殻１の外表面に切削加工により絵柄等２を施し、前記殻を基台７に装着し、この基台７に前記殻１の内部を照らす光源を設けたことを特徴とする。【選択図】  図１
2010214604.tif 000002
【特許請求の範囲】
【請求項１】
中身を除去した卵の殻の外表面に切削加工により絵柄等を施し、前記殻を基台に装着し、この基台に前記殻の内部を照らす光源を設けたことを特徴とする飾り物。
【請求項２】
前記殻の表面を透明樹脂により被覆したことを特徴とする請求項１記載の飾り物。
【請求項３】
卵の長手方向の端部の殻部分を除去して穴を形成し、この穴よりあらかじめ卵の中身を除去し、この中身を除去した殻の長手方向の両端部を治具によって固定し、数値制御工作機械によって、前記殻の表面に絵柄等の切削加工を施し、前記殻を前記穴を下にして基台に装着し、この基台に前記殻の内部を照らす光源を設けたことを特徴とする飾り物の製造方法。
【請求項４】
前記数値制御工作機械における切削用刃物はボールエンドミルであることを特徴とする請求項３記載の飾り物の製造方法。
【請求項５】
前記治具には、前記殻の長手方向の両端を嵌入させて前記殻を保持する円筒状保持体を備えるとともに前記数値制御工作機械による切削加工を正確に行わせるため、前記数値制御工作機械の水平基準面に合わせるための水平基準面と、前記数値制御工作機械への設置方向を合わせるための方向決定基準面と、前記数値制御工作機械による切削加工開始位置を決定するためのポイントとを設けたことを特徴とする請求項３または４記載の飾り物の製造方法。
【発明の詳細な説明】
【技術分野】
【０００１】
本発明は、数値制御工作機械を用いて制作した飾り物及びその製造方法に関するものである。
【背景技術】
【０００２】
数値制御工作機械を用いて金属の表面に微細な加工をすることは、例えば、特開２００６−２６３９０４号公報などによって、広く知られている。
【先行技術文献】
【特許文献】
【０００３】
【特許文献１】特開２００６−２６３９０４号公報
【発明の概要】
【発明が解決しようとする課題】
【０００４】
金属板やプラスチック板の表面に絵柄などを数値制御工作機械を用いて加工し、飾り物を作ることは可能である。特に、金属板やプラスチック板を素材として用いた場合には、量産に適している。
【０００５】
量産品の飾り物はあまり好まれず、やはり、手作りの一品物が望まれる。そこで、本発明は、上記の課題を解決し、数値制御工作機械を用いて、一品物の特殊な飾り物及びその製造方法を提供することを目的とする。
【課題を解決するための手段】
【０００６】
本発明の飾り物は、中身を除去した卵の殻の外表面に切削加工により絵柄等を施し、前記殻を基台に装着し、この基台に前記殻の内部を照らす光源を設けたことを特徴とする。
また、前記殻の表面を透明樹脂により被覆したことを特徴とする。
【０００７】
また、本発明の飾り物の製造方法は、卵の長手方向の端部の殻部分を除去して穴を形成し、この穴よりあらかじめ卵の中身を除去し、この中身を除去した殻の長手方向の両端部を治具によって固定し、数値制御工作機械によって、前記殻の表面に絵柄等の切削加工を施し、前記殻を前記穴を下にして基台に装着し、この基台に前記殻の内部を照らす光源を設けたことを特徴とする。
また、前記数値制御工作機械における切削用刃物はボールエンドミルであることを特徴とする。
【０００８】
さらに、前記治具には、前記殻の長手方向の両端を嵌入させて前記殻を保持する円筒状保持体を備えるとともに前記数値制御工作機械による切削加工を正確に行わせるため、前記数値制御工作機械の水平基準面に合わせるための水平基準面と、前記数値制御工作機械への設置方向を合わせるための方向決定基準面と、前記数値制御工作機械による切削加工開始位置を決定するためのポイントとを設けたことを特徴とする。
【発明の効果】
【０００９】
本発明の飾り物によれば、鶏卵などの卵を用いているため、量産には適さず、一品物の飾り物を提供することができる。そして、基台からの照明により、卵の殻の表面に切削加工された絵柄等が浮かび上がり、家庭や、小さな店舗、あるいは料亭の飾り物として好適である。そして、絵柄等を顧客の要望に応じて選択することができるので、卵、絵柄等を選ぶことにより世界に一つしかないオリジナルな飾り物を提供することができる。
また、特殊な治具を用いることにより、卵を破損することなく切削加工することができる。加工は数値制御工作機械を用いれば良く、設定を正しく行えば加工は比較的容易である。
【図面の簡単な説明】
【００１０】
【図１】本発明の一実施例における飾り物の斜視図である。
【図２】同一実施例における飾り物の要部断正面図である。
【図３】同飾り物を製造する状態を示す治具の斜視図である。
【図４】同治具の断側面図である。
【発明を実施するための形態】
【００１１】
以下、本発明の実施の形態を図面を参照して説明する。
図１は本発明の飾り物の一実施例の斜視図である。
図１において、１は鶏卵などの卵の殻である。卵は鶏卵に限らず、ダチョウなどの卵であっても良い。卵の長手方向の端部の一方に穴を開けて中身を取り出して、殻１とする。この殻１に絵柄等２を切削加工する。絵柄等２は写真とか、絵画あるいは字などである。この加工は数値制御工作機械を用いて行う。具体的には（株）森精機製作所製の商品名「ＮＨ４０００ＤＣＧ」を使用する。
３は切削加工によって０．１５ｍｍ程度削りとられた部分であり、絵柄等２は凹凸により表現される。つまり、３の部分が最深部であり、絵柄等２の濃淡を切削の深さによって表現している。
４はリング状の受台であり、一方の開口部に殻１の穴の開けられた端部がはまり込んで両者が接着剤で結合されている。
【００１２】
図２に示すように、５が殻１に設けられている穴、６ａが接着剤である。基台７が設けられ、その凹部８に３色のＬＥＤなどの発光部９が収納されている。１０はその制御部・電源部であり、３個の発光部９が順次発光するように構成され全体として光源となっている。この光源は市販されている。
リング状の受台４が発光部９の上方に置かれ、接着剤６ｂによって、基台７に結合されている。光は殻１の穴５から入り、殻１の内壁を照らすことになる。殻１の外からみると、絵柄等２が浮き上がって見える。発光部９を殻１の中に入れることも可能である。発光部９を殻１に入れる場合には殻１を破損しないように注意して行う必要がある。図１の飾り物全体は、図示していないが、透明のケースに収納される。
【００１３】
次に、この飾り物の製造方法について説明する。
図３、図４は、卵の中身を抜いた殻１が治具によって保持されている状態を示している。断面コ字状に構成された治具本体１１の一方の壁１１ａにボルト１２とナット１３により保持部材１４が取り付けられている。また、壁１１ａと対向する壁１１ｂのねじ穴にボルト１５が螺合しており、ナット１６、１７が取り付けられ、ボルト１５の先端部にナット１８、１９により保持部材２０が固定されている。保持部材１４、２０はプラスチックなどで構成されており、有底筒状のものである。殻１の両端部が保持部材１４、２０の開口部より入って、その開口縁に当接する。ボルト１５を回転させることにより、保持部材２０を図４の左方に移動させることにより、しっかりと殻１を治具本体１１に保持することができる。
【００１４】
治具本体１１の壁１１ａ、１１ｂの上端部には数値制御工作機械による切削加工開始位置を決定するためのポイントとなるピン２１ａ、２１ｂ、２１ｃが突設されている。このピンは一本でも良い。
数値制御工作機械による切削加工を正確に行わせるため、治具本体１１には、数値制御工作機械の水平基準面に合わせるための水平基準面２２と、数値制御工作機械への設置方向を合わせるための方向決定基準面２３とが設けられている。
【００１５】
殻１を装着した治具本体１１を３Ｄスキャナでスキャンし、得られたデータの一部、つまり、殻１の一部分に絵柄等を貼りつける。つまり、両者のデータを合成する。スキャナはＲｏｌａｎｄ  ＰＩＣＺＡ  ＬＰＸ−１２００を用い、ソフトはＤｒ．ＰＩＣＺＡ３およびＰｉｘｆｏｒｍ  Ｐｒｏを用いる。
次に、上記によって作成された合成データに含まれる基準面、すなわち、水平基準面２２と方向決定基準面２３が数値制御工作機械の基準面に合致するように、上記合成データをソフトを用いて変換する。このソフトはＣＡＤ／ＣＡＭ：ＧＲＡＰＨＩＣ  ＰＲＯＤＵＣＴＳ社製の商品名「ｔｏｏｌｓ  Ｖ３」を用いる。
【００１６】
次に、数値制御工作機械を用いて、殻１の表面に絵柄等を切削加工する。加工の最初はピン２１ａ、２１ｂ、２１ｃによって切削加工開始位置を決定する。加工した殻１を図１、２のように組立て飾り物とする。切削加工した殻１の内外表面（表面のみでも良い）を透明樹脂でコーティングすれば、殻１を長期に保存できる。
【００１７】
以上のように、本発明の飾り物によれば、鶏卵などの卵を用いているため、量産には適さず、一品物の飾り物を提供することができる。そして、基台からの照明により、卵の殻の表面に切削加工された絵柄等が浮かび上がり、家庭や、小さな店舗、あるいは料亭の飾り物として好適である。そして、絵柄等を顧客の要望に応じて選択することができるので、卵、絵柄等を選ぶことにより世界に一つしかないオリジナルな飾り物を提供することができる。
また、特殊な治具を用いることにより、卵を破損することなく切削加工することができる。加工は数値制御工作機械を用いれば良く、設定を正しく行えば加工は比較的容易である。
【産業上の利用可能性】
【００１８】
本発明の飾り物は家庭、小さな店舗、料亭などの飾りとして用いて良好である。
【符号の説明】
【００１９】
１    殻
２    絵柄等
３    切削加工部分
４    受台
５    穴
６ａ、６ｂ  接着剤
７    基台
８    凹部
９    発光部
１０  制御部
１１  治具本体
１１ａ、１１ｂ  壁
１２、１５  ボルト
１３、１６、１７、１８、１９  ナット
１４、２０  保持部材
２１ａ、２１ｂ、２１ｃ  ピン
２２  水平基準面
２３  方向決定基準面
【図１】
2010214604.tif 000003
【図２】
2010214604.tif 000004
【図３】
2010214604.tif 000005
【図４】
2010214604.tif 000006